(57)【要約】【課題】本発明は、１つのＬＥＤで、点灯する機能と、センサ機能とを有するようにすること。【解決手段】電圧比較器３，パルス発生器１，ＯＲ回路２，リレー回路５及び１つのＬＥＤ６及び電源７とからなること。明るいときには、前記ＬＥＤ６による起電力により電圧比較器３を介して前記ＯＲ回路２からＨレベル電圧のみが出力され、前記リレー回路５は▲１▼側に変換され且つ電源７には接続されないように制御されること。暗いときには、前記電圧比較器３を介して前記ＯＲ回路２からＬレベル電圧が交互に出力されること。前記リレー回路５は▲２▼側に変換され、且つ前記ＬＥＤ６は電源７に接続して点灯され、前記パルス発生器１によるパルス周波数に応じて前記ＬＥＤ６が点滅してなること。【選択図】  図１
2004296172.tif 000002
【特許請求の範囲】
【請求項１】
電圧比較器，パルス発生器，ＯＲ回路，リレー回路及び１つのＬＥＤ及び電源とからなり、明るいときには、前記ＬＥＤは該ＬＥＤの起電力を制御して点灯不能とし、暗くなったときにのみ前記ＬＥＤが点滅するようにしてなることを特徴とする暗闇自動点灯装置。
【請求項２】
電圧比較器，パルス発生器，ＯＲ回路，リレー回路，１つのＬＥＤ及び電源とからなり、明るいときには、前記ＬＥＤによる起電力により電圧比較器を介して前記ＯＲ回路からＨレベル電圧のみが出力され、前記リレー回路は▲１▼側に変換され、且つ電源には接続されないように制御され、暗いときには前記電圧比較器を介して前記ＯＲ回路からＬレベル電圧が交互に出力され、このとき前記リレー回路は▲２▼側に変換され、且つ前記ＬＥＤは電源に接続して点灯され、前記パルス発生器によるパルス周波数に応じて前記ＬＥＤが点滅してなることを特徴とする暗闇自動点灯装置。
【請求項３】
請求項２において、前記電圧比較器は、前記ＬＥＤの起電力と基準電圧出力部の基準電圧とを比較し、前起電力が大きい場合のみＨレベル電圧が出力されようにしてなることを特徴とする暗闇自動点灯装置。
【請求項４】
請求項２又は３において、前記リレー回路と前記電圧比較器との間に増幅器を介在されてなることを特徴とする暗闇自動点灯装置。
【請求項５】
請求項１，２，３又は４において、前記１つのＬＥＤは、並列又は直列で群としてなることを特徴とする暗闇自動点灯装置。
【発明の詳細な説明】
【０００１】
【発明の属する技術分野】
本発明は、１つのＬＥＤで、点灯する機能と、センサ機能とを有するようにした暗闇自動点灯装置に関する。
【０００２】
【従来の技術】
図６に示されるように、ＬＥＤ，センサ，制御回路から構成されており、制御箱から外側にＬＥＤとセンサの２つの穴をあけなければならない。面積が増大し、ＬＥＤとセンサは、必携で、部品点数が増大する欠点があった。また制御回路と外付け部品間の配線が増大する欠点があった。
【０００３】
【特許文献１】
特開平６−１５１９７０号
【０００４】
上記特許文献１には、ＬＥＤを複数使用しているため、面積が増大してしまう。又、部品点数及び配線数の増大によって、価格が高価になる欠点があった。
【０００５】
【発明が解決しようとする問題】
図５に示されるように、ＬＥＤ，制御回路から構成が可能でセンサの役割を１つのＬＥＤによって賄うことにより、面積の縮小化が可能となる。また制御回路と外付け部品間の配線が少なく価格も安価になる。
【０００６】
【課題を解決するための手段】
本発明は、電圧比較器，パルス発生器，ＯＲ回路，リレー回路及び１つのＬＥＤ及び電源からなり、明るいときには、ＬＥＤは該ＬＥＤの起電力を制御して点灯不能とし、暗くなったときにのみＬＥＤが点滅するようにしてなることにより上記課題を解決したものである。
【０００７】
【発明の実施の形態】
本発明を図１に基づいて説明する。パルス発生器１及び電圧比較器３（コンパレータ）の出力はＯＲ回路２に配線１１，１３を介して接続され、前記ＯＲ回路２の出力は、配線１２を介してリレー回路５の制御信号として接続されている。ＬＥＤ６はリレー回路５のスイッチの片方に配線１６を介して接続され、他方の▲２▼側に配線１７を介して電源７に接続されている。また、リレー回路５の▲１▼側に前記電圧比較器３の入力側に配線１５を介して接続されている。前記電圧比較器３の入力部は基準電圧出力部４に配線１４を介して接続されている。
【０００８】
明るいときには、ＬＥＤ６による起電力により電圧比較器３を介してＯＲ回路２からＨレベル電圧のみが出力され、リレー回路５は▲１▼側に変換され、且つ電源７には接続されないように制御され、暗いときには電圧比較器３を介してＯＲ回路２からＬレベル電圧が交互に出力され、このときリレー回路５は▲２▼側に変換され、且つＬＥＤ６は電源７に接続して点灯され、パルス発生器１によるパルス周波数に応じてＬＥＤ６が点滅するように構成されている。
【０００９】
電圧比較器３は、ＬＥＤ６の起電力と基準電圧出力部４の基準電圧とを比較し、起電力が高い場合のみＨレベル電圧が出力されるような構成をしたものである。また、リレー回路５と電圧比較器３との間に増幅器８を介在した方がより好ましい構成をしたものである。
【００１０】
１つのＬＥＤの実施形態を説明すると、単に１つの場合もあるが、図３（Ａ）に示すように、ＬＥＤ１，ＬＥＤ２，ＬＥＤ３・・・ＬＥＤｎ個のＬＥＤを並列に接続した構成とすることもある。また、図３（Ｂ）に示すようにＬＥＤ１，ＬＥＤ２，ＬＥＤ３・・・ＬＥＤｎ個のＬＥＤを直列に接続した構成もある。このように両者共に群として用いた構成をすることもある。
【００１１】
図２は、第２実施形態であって、図１と同じでありリレー回路５と電圧比較器３の間に増幅器８を介在させたものである。これは、起電力が小さい場合には、設けることが好ましい。
【００１２】
【暗いときの動作概要】
パルス発生器１と電圧比較器３の出力をＯＲ回路２にてＯＲする。このとき電圧比較器３の出力はＬレベルとするとＯＲ回路２の出力にはパルス発信器１からの信号となる。このパルス状の出力によってリレー回路５は制御されるため、スイッチングによりＬＥＤ６は▲１▼側及び▲２▼側を反復する。▲２▼側のときにＬＥＤ６は電源７に接続されるため発光し、▲１▼側のときでは電圧比較器３に接続される。暗闇なので、ＬＥＤ６からの起電力は少なく、ＬＥＤ６の起電力（配線１５の電圧）が基準電圧４の電圧（配線１４の電圧）を上回らないため、電圧比較器３の出力はＬレベルとなる。以上を繰り返す。
【００１３】
【明るいときの動作概要】
暗闇と同様に、リレー回路５が▲１▼及び▲２▼側を反復するが、▲１▼側のとき、明るいためＬＥＤ６による起電力（配線１５の電圧）が基準電圧４の電圧（配線１４の電圧）を上回るため、電圧比較器３での出力は常にＨレベルとなる。この信号とパルス発生器１をＯＲするＯＲ回路２へ入力される。この場合、出力は常にＨレベルとなるため、リレー回路５では▲１▼側を維持することとなる。これによって、ＬＥＤ６は点灯せず、電源７の消費は行われない。以上を繰り返す。
【００１４】
【実施例】
本発明の実施例を図４に示す。回路中では、ＬＥＤ６からの起電力が非常に小さいためトランジスタによる増幅器８を設け、ボリュームＶＲ１によって感度調節を可能にした。またリレー回路５は、ＭＯＳスイッチとＮＯＴ回路から構成したものを使用した。パルス発生器１では、パルス周期を調整できるようボリュームＶＲ２を設けた。また、基準電圧出力部４の値を０．６Ｖ、パルス発生器１のパルス周期を〜２０ｋＨｚ、増幅器８の増幅率を１００００倍以上にすると安定した動作が可能となった。
【００１５】
【発明の効果】
以上のように、請求項１記載の発明によれば、電圧比較器３，パルス発生器１，ＯＲ回路２，リレー回路５及び１つのＬＥＤ６及び電源７から構成され、明るいときには、ＬＥＤ６は点灯不能とし、暗くなったときにのみＬＥＤ６が点滅することが可能である。特に１つのＬＥＤ６のみで点灯する機能と、センサ機能とを有するような簡単な構成にできる利点がある。また、請求項２及び３記載による回路構成によって、請求項１と同様の制御が可能となる。
【００１６】
請求項４記載の発明では、リレー回路５と電圧比較器３の間に増幅器８を介在させることによって、感度を向上させることが可能となる。また請求項５記載の発明では、１つのＬＥＤ６が並列又は直列で群とすることで、起電力の増加による安定した動作が可能となる。
【図面の簡単な説明】
【図１】本発明の構成図
【図２】本発明の別の実施形態
【図３】（Ａ）並列接続した接続図
（Ｂ）直列接続した接続図
【図４】本発明の実施例
【図５】本発明の概念図
【図６】従来例の概念図
【符号の説明】
１…パルス発生器
２…ＯＲ回路
３…電圧比較器
４…基準電圧出力部
５…リレー回路（個別部品でリレー動作を構成している又はリレー）
６…ＬＥＤ
７…電源
８…増幅器
【図１】
2004296172.tif 000003
【図２】
2004296172.tif 000004
【図３】
2004296172.tif 000005
【図４】
2004296172.tif 000006
【図５】
2004296172.tif 000007
【図６】
2004296172.tif 000008